【事件の表示】
　上記当事者間の登録第２６２５１２６号商標の商標登録無効審判事件について、次のとおり審決する。
【結　論】
　登録第２６２５１２６号の登録を無効とする。
　審判費用は被請求人の負担とする。
【理　由】
１　本件商標
　本件登録第２６２５１２６号商標（以下、「本件商標」という。）は、「ＶＡＬＥＮＴＩＮＯＡＰＩＡ」と「バレンティノピア」の文字を上下二段に横書きしてなり、平成２年１１月３０日に登録出願、第２２類「はき物（運動用特殊ぐつを除く）かさ、つえ、これらの部品および附属品」を指定商品として、同６年２月２８日に設定登録されたものである。
　
２　引用商標
　請求人が引用する登録第１７８６８２０号商標（以下、「引用商標Ａ」という。）は、「ＶＡＬＥＮＴＩＮＯ　ＧＡＲＡＶＡＮＩ」の欧文字を横書きしてなり、昭和４９年１０月１日に登録出願、第２２類「はき物（運動用特殊ぐつを除く）かさ、つえ、これらの部品及び附属品」を指定商品として、昭和６０年６月２５日に設定登録、同じく登録第８５２０７１号商標（以下、「引用商標Ｂ」という。）は、やや図案化した「ＶＡＬＥＮＴＩＮＯ」の欧文字を横書きしてなり、昭和４３年６月５日に登録出願、第１７類「被服（運動用特殊被服を除く）布製身回品（他の類に属するものを除く）寝具類（寝台を除く）」を指定商品として、同４５年４月８日に設定登録、同じく登録第１４１５３１４号商標（以下、「引用商標Ｃ」という。）は、「ＶＡＬＥＮＴＩＮＯ　ＧＡＲＡＶＡＮＩ」の欧文字を横書きしてなり、昭和４９年１０月１日に登録出願、第１７類「被服（運動用特殊被服を除く）布製身回品（他の類に属するものを除く）寝具類（寝台を除く）」を指定商品として、同５５年４月３０日に設定登録されたものであり、同じく登録第９７２８１３号商標（以下、「引用商標Ｄ」という。）は、「ＶＡＬＥＮＴＩＮＯ」の欧文字を横書きしてなり、昭和４５年４月１６日に登録出願、第２１類「宝玉、その他本類に属する商品」を指定商品として、同４７年７月２０日に設定登録されたものであるが、その後、指定商品中「かばん類、袋物」につき商標権の一部放棄がされ、平成２年６月２５日、その旨の本権の登録の一部抹消登録がされたものであり、同じく登録第１７９３４６５号商標（以下、「引用商標Ｅ」という。）は、「ＶＡＬＥＮＴＩＮＯ　ＧＡＲＡＶＡＮＩ」の欧文字を横書きしてなり、昭和４９年１０月１日に登録出願、第２１類「装身具、ボタン類、かばん類、袋物、宝玉及びその模造品、造花、化粧用具」を指定商品として、同６０年７月２９日に設定登録、同じく登録第１４０２９１６号商標（以下、「引用商標Ｆ」という。）は、「ＶＡＬＥＮＴＩＮＯ　ＧＡＲＡＶＡＮＩ」の欧文字を横書きしてなり、昭和４９年１０月１日に登録出願、第２７類「たばこ、喫煙用具、マッチ」を指定商品として、同５４年１２月２７日に設定登録されたものであって、いずれも商標権存続期間の更新登録がなされているものである。
　
３　請求の趣旨及び請求人の主張
　請求人は、結論同旨の審決を求めると申し立て、その理由を次のように述べ、証拠方法として甲第１号証ないし同第５６号証（枝番を含む。）を提出した。
（１）商標法第４条第１項第８号について
　請求人は、イタリアの服飾デザイナー「ＶＡＬＥＮＴＩＮＯ　ＧＡＲＡＶＡＮＩ」（ヴァレンティノ　ガラヴァーニ）の同意を得て、同氏のデザインに係る各種の商品を製作、販売しており、「ＶＡＬＥＮＴＩＮＯ　ＧＡＲＡＶＡＮＩ」或いは「ＶＡＬＥＮＴＩＮＯ」の欧文字からなるそれぞれの商標を各種商品について使用している者であるが、同氏は単に「ヴァレンティノ」（ＶＡＬＥＮＴＩＮＯ）と略称されており、この略称も本件商標の登録出願の日前より著名なものとなっている。
　すなわち、「ＶＡＬＥＮＴＩＮＯ　ＧＡＲＡＶＡＮＩ」（ヴァレンティノ　ガラヴァニ）は、１９３２年イタリア国ボグヘラで誕生、１７才の時パりに行き、パリ洋裁学院でデザインの勉強を開始し、その後、フランスの有名なデザイナー「ジーン・デシス、ギ・ラ・ロシュ」の助手として働き、１９５９年ローマで自分のファッションハウスを開設した。１９６７年にはデザイナーとして最も栄誉ある賞といわれる「ファッションオスカー（ＦａｓｈｉｏｎＯｓｃａｒ）」を受賞し、ライフ誌、ニューヨークタイムズ誌、ニューズウィーク誌など著名な新聞、雑誌に同氏の作品が掲載された。これ以来、同氏は、イタリア・ファッションの第１人者としての地位を確立し、フランスのサンローランなどと並んで世界三大デザイナーと呼ばれ、国際的なトップデザイナーとして知られている。
　その後も同氏の作品は無地の服を得意とし、大胆な「白」と「素材」を特徴とし、その服飾品は芸術に値すると賞賛されており、その顧客には、レオーネ・イタリア大統領婦人、グレース・モナコ王妃、エリザベス・テーラー、オードリー・ヘップバーンなどの著名人も多い。同氏のデザイン活動は、婦人用、紳士用衣服を中心にネクタイ・シャツ・ハンカチーフ・マフラー・ショール・ブラウスなどの衣料用小物、バンド・ベルト・ネックレス・ペンダントなどの装身具、バッグ・さいふ・名刺入れその他のかばん類、その他サングラス、傘、スリッパなどの小物からインテリア装飾にも及んでいる。
　わが国においても、「ヴァレンティノ　ガラヴァニ」の名前は、１９６７年（昭和４２年）のファッションオスカー受賞以来知られるようになり、その作品はＶｏｇｕｅ誌などにより継続的に日本国内にも紹介されている。昭和４９年には三井物産株式会社の出資により同氏の日本及び極東地区総代理店として株式会社ヴァレンチィノヴティックジャパンが設立され、ヴァレンティノ製品を輸入、販売するに至り、同氏の作品は、我が国のファッション雑誌にもより数多く掲載されるようになり、著名なデザイナーとして一層注目されるに至っている。
　以上の通り、「ヴァレンティノ・ガラヴァニ」は、世界のトップデザイナーとして本件商標が出願された当時には、既に我が国においても著名であった。
　同氏は、「ＶＡＬＥＮＴＩＮＯ　ＧＡＲＡＶＡＮＩ」「ヴァレンティノ・ガラヴァニ」とフルネームで表示され、このフルネームをもって紹介されることが多いが、同時に新聞、雑誌の記事や見出し中には、単に「ＶＡＬＥＮＴＩＮＯ」「ヴァレンティノ」と略称されてとりあげられることも多い（甲第７号証、同第８号証等）。
　しかるところ、本件商標は、その構成文字中、「ＶＡＬＥＮＴＩＮＯ」の文字が「ヴァレンティノ」と称呼されるものであることは明らかであるから、「ＶＡＬＥＮＴＩＮＯ　ＧＡＲＡＶＡＮＩ」（ヴァレンティノ　ガラヴァーニ）の著名な略称を含む商標であり、その者の承諾を得ずに登録出願されていることは明らかである。
　したがって、本件商標の登録は、商標法第４条第１項第８号の規定に違反してされたものである。
（２）商標法第４条第１項第１１号について
　本件商標と引用商標Ａとを比較するに、本件商標は、前記に示すとおりであるところ、「ＶＡＬＥＮＴＩＮＯＰＩＡ」の欧文字は、その全体を称呼するときは「ヴァレンティノピア」の７音にも及ぶ冗長なものとなるばかりでなく、「ヴァレンティノ」と「ピア」の間に段落を生ずるものであり、しかも、上記のデザイナー「ＶＡＬＥＮＴＩＮＯ　ＧＡＲＡＶＡＮＩ」が「ＶＡＬＥＮＴＩＮＯ」（ヴァレンティノ）と略称されて著名なものとなっていることとも相挨って、これに接する取引者・需要者は、その構成文字中、取引者・需要者に親しまれている「ＶＡＬＥＮＴＩＮＯ」の文字に相応する「ヴァレンティノ」の称呼をもって、取引に当る場合が決して少なくないものとみるのが自然である。
　したがって、本件商標は、「ヴァレンティノ」の称呼をも生ずるものといわざるを得ない。
　一方、引用商標Ａは、その指定商品に使用された結果、全世界に著名なものとなっていることは甲第９号証をはじめとして、同第５６号証までの書証によっても明らかなところである。
　そして、引用商標Ａは、「ＶＡＬＥＮＴＩＮＯ　ＧＡＲＡＶＡＮＩ」の文字を書してなるものであるから、その全体を称呼するときは「ヴァレンティノガラヴァーニ」の称呼を生ずるものであって、この称呼は冗長なものであるので、上記デザイナー「ＶＡＬＥＮＴＩＮＯ　ＧＡＲＡＶＡＮＩ」が「ＶＡＬＥＮＴＩＮＯ」（ヴァレンティノ）と略称されて著名なものとなっていることとも相俟って、その構成文字中、前半の「ＶＡＬＥＮＴＩＮＯ」の文字に相応する「ヴァレンティノ」の称呼をもって取引に資される場合も決して少なくないのが実情である。
　すなわち、引用商標Ａは、「ヴァレンティノ」の称呼をも生ずるものであるといわざるを得ない。
　してみると、本件商標は、引用商標Ａと「ヴァレンティノ」の称呼を共通にする類似の商標であり、また、本件商標の指定商品は引用商標のそれと抵触するものであることは明らかであり、結局、本件商標の登録は、商標法第４条第１項第１１号の規定に違反してなされたものである。
（３）商標法第４条第１項第１５号について、
　引用商標Ｂ及びＣは、婦人服、紳士服、ネクタイ等の被服について使用され、また、引用商標Ｄ及びＥは、ベルト、その他の身飾品に使用され、引用商標Ｆがライターについて使用されていて、これらの引用商標が本件商標の登録出願の日前より全世界に著名なものとなっていることは甲第９号証ないし同第５６号証によっても明らかである。
　そして、本件商標と引用商標Ａが称呼上類似するものであることは上述のとおりであるから、本件商標は、引用商標Ａと同一の称呼をも生ずる引用商標ＢないしＦと称呼上類似する商標であるといわざるをえない。また、本件商標の指定商品と各引用商標が使用されている上記の商品は、何れも服飾品の範疇に属する密接な関係にある商品である。
　したがって、本件商標は、これを商標権者がその指定商品に使用した場合、その商品が恰も請求人の製造、販売等の業務に係る商品であるか、又は同人と経済的或は組織的に何等かの関係にある者、すなわち姉妹会社等の関係にある者の業務に係る商品であるかの如く、その出所について混同を生ぜしめるおそれがあるから、商標法第４条第１項第１５号の規定に違反して登録されたものである。
　
４　答弁の趣旨及び被請求人の主張
　被請求人は、「本件審判の請求は成り立たない、審判費用は請求人の負担とする、との審決を求める。」と申し立て、その理由を次のように述べ、証拠方法として乙第１号証ないし同第１９号証を提出した。
（１）商標法第４条第１項第８号について
　本件商標は、「ＶＡＬＥＮＴＩＮＯＰＩＡ」「バレンティノピア」の文字を上下二段に、同書、同大、等間隔に一連に綴られたものであるため、いうまでもなく、一連に称呼されるべきものであり、「ＶＡＬＥＮＴＩＮＯ／バレンティノ」と「ＰＩＡ／ピア」とに軽重の差がないので、殊更に「ＶＡＬＥＮＴＩＮＯ／バレンティノ」のみを切り離して称呼、観念しなければならない格別の理由はなく、かつ、本件商標は、外国人名の一類型とみることができるものである。
　これに対し請求人の使用に係る「ＶＡＬＥＮＴＩＮＯ　ＧＡＲＡＶＡＮＩ／ヴァレンティノ　ガラヴァーニ」の周知性を、仮りにわが国において、本件商標の登録出願当時に認めたとしても、あくまで「ＧＡＲＡＶＡＮＩ／ガラヴァーニ」をそのうしろに付した場合のものであって、「ＶＡＬＥＮＴＩＮＯ」のみでの周知性は認められない。何故なら甲第７号証の４ないし同３２は自己の使用に係るものではなく、たまたま新聞紙面の都合上「ＧＡＲＡＶＡＮＩ／ガラヴァーニ」が略されているのであって、これらをもって、「ＶＡＬＥＮＴＩＮＯ／ヴァレンチノ」のみの周知性の根拠とはならない。また、本件商標が上述の如く、人名を表わすものと理解されるものであると同様、「ＶＡＬＥＮＴＩＮＯ　ＧＡＲＡＶＡＮＩ」も人名である。
　従って、本件商標は、「ＶＡＬＥＮＴＩＮＯ　ＧＡＲＡＶＡＮＩ」とは、非類似といわざるを得ず、同氏の承諾を得る必要もない。
（２）商標法第４条第１項第１１号について
　本件商標は、登録異議の申立てについての決定謄本（乙第１号証）で明らかな如く、審査の結果、「ＶＡＬＥＮＴＩＮＯ　ＧＡＲＡＶＡＮＩ」には類似しないとされたものであって、このことは本件商標が「バレンティノピア」と一連に称呼、観念されるものであると認められた証左であって、かつ格別冗長ではないので、「ＶＡＬＥＮＴＩＮＯ」部分のみ独立して称呼、認識される必要はないものである。
　従って、本件商標は、引用商標Ａとは類似しない。
（３）商標法第４条第１項第１５号について
　請求人の主張は、誤った認識の上に立つ自己の利益擁護のみのものであって客観性を持たない。ちなみに、その構成中に「ＶＡＬＥＮＴＩＮＯ」の文字を有する商標は、請求人の「ＶＡＬＥＮＴＩＮＯ　ＧＡＲＡＶＡＮＩ」のみではなく、例えば「Ｖａｌｅｎｔｉｎｏ　Ｒｕｄｙ」（乙第２号証）、「Ｖａｌｅｎｔｉｎｏ Ｆｒａｎｃｈｉｎｉ」（同第３号証）、「ＧＩＡＮＮＩ ＶＡＬＥＮＴＩＮＯ」（同第４号証）等々が存在し、これらは全て「ＶＡＬＥＮＴＩＮＯ／バレンティノ」部分が重複するも併存ないしは共存している。にも拘らず請求人が「ＶＡＬＥＮＴＩＮＯ」のみでも自己のものの様に主張することは説得力に欠けるものである。そもそもが上述の如く本件商標と引用商標Ａとは非類似のため、本件商標に接する取引者、需要者が引用商標Ａを想起することはない。
　従って、「ＶＡＬＥＮＴＩＮＯ」のみで全世界で著名とか、他人が「ＶＡＬＥＮＴＩＮＯ」を使用することは経済的、組織的に何等かの関係があるのかとか、姉妹会社云々は、単に請求人の憶測にすぎず、現実的ではない。
　以上により、本件商標は、本件登録無効審判請求にも拘らず、登録要件を具備しているものとして登録されたものである。
　
５　当審の判断
（１）ＶＡＬＥＮＴＩＮＯ標章の著名性について
　本件審判請求の理由及び甲第７号証及び同第１３号証ないし同第５６号証（枝番を含む。）を総合してみるに、以下の事実が認められる。
　ａ）ヴァレンティノ　ガラヴァーニ（Ｖａｌｅｎｔｉｎｏ　Ｇａｒａｖａｎｉ）は、１９３２年イタリア国ボグヘラで誕生、１７才の時パリに行き、パリ洋裁学院でデザインの勉強を開始し、その後フランスの有名なデザイナー「ジーン・デシス、ギ・ラ・ロシュ」の助手として働き、１９５９年ローマで自分のファッションハウスを開設した。１９６７年にはデザイナーとして最も栄誉ある賞といわれる「ファッションオスカー（Ｆａｓｈｉｏｎ　Ｏｓｃａｒ）」を受賞し、ライフ誌、ニューヨークタイムズ誌、ニューズウィーク誌などの新聞、雑誌に同氏の作品が掲載された。これ以来、同氏は、イタリア・ファッション界の第１人者となり、サンローランなどと並んで世界三大デザイナーとも呼ばれるようになった。
　そして、請求人は、ヴァレンティノ　ガラヴァーニのデザインに係る紳士服、婦人服等の商品を製造・販売していて、その商品に「ＶＡＬＥＮＴＩＮＯ　ＧＡＲＡＶＡＮＩ」「ＶＡＬＥＮＴＩＮＯ」の文字よりなる標章（以下、これらを「ＶＡＬＥＮＴＩＮＯ標章」という。）を使用している。
　ｂ）我が国においては、昭和４９年に「株式会社ヴァレンティノヴティックジャパン」が設立され、以来、ヴァレンティノ　ガラヴァーニのデザインに係る紳士服、婦人服等の商品が同社により輸入・販売されている。
　ｃ）例えば、甲第７号証４ないし３２は、主に昭和５１年９月〜同１１月にかけて発行された新聞等におけるヴァレンティノ　ガラヴァーニのデザインに係る紳士服、婦人服の紹介記事を抜粋したと認められるものであるが、その紹介記事の見出しに、「鮮やか黒いファッション　ヴァレンティノ秋冬ショー」（繊研新聞、昭和５１年９月２８日版）、「親しみやすいものばかり　バレンティノ・ショー」（朝日新聞、昭和５１年１０月２日版）、「世界のＶＩＰ女性愛用のヴァレンティノ・コレクション発表」（日刊ゲンダイ、昭和５１年１０月２日版）、「伊の鬼才ヴァレンティノ　これが７６年秋冬の新作」（日経産業新聞、昭和５１年１０月６日版）との記載があり、また、「世界の一流品大図鑑’８５年版」（甲第１５号証）中の「ＶＡＬＥＮＴＩＮＯ　ＧＡＲＡＶＡＮＩ（ヴァレンティノ　ガラヴァーニ）」の標章が記載された項における紹介記事においては、「・・・魅惑的で優美な衣裳作りを心がけているというヴァレンティノ。（婦人服）」、「シーズン毎にカジュアルシューズも発表しているヴァレンティノですが、・・・（紳士靴）」との記載、同じく「男の一流品大図鑑’８５年版」（甲第１６号証）においては、「・・・オフタイムこそ、ヴァレンティノで洒落てみたい。（紳士用ベルト）」との記載、さらに、「２５ａｎｓ　１９８７年１０月号」（甲第２２号証）においても、「・・・ヴァレンティノの服は、このスカート丈とニット素材というカジュアル要素を持ちながらも、・・・（婦人服）」等の記載があるように、ＶＡＬＥＮＴＩＮＯ標章が「ＶＡＬＥＮＴＩＮＯ（ヴァレンティノ）」の商標と呼ばれ、そのデザイナーである「Ｖａｌｅｎｔｉｎｏ　Ｇａｒａｖａｎｉ」も「ＶＡＬＥＮＴＩＮＯ（ヴァレンティノ）」と呼ばれ、その名で知られていることを前提とした記事が多数掲載されている。
　以上の事実によれば、遅くとも本件商標の登録出願時の平成２年には、ＶＡＬＥＮＴＩＮＯ標章は、「ＶＡＬＥＮＴＩＮＯ（ヴァレンティノ）」の商標として、また、デザイナーのヴァレンティノ　ガラヴァーニ（Ｖａｌｅｎｔｉｎｏ　Ｇａｒａｖａｎｉ）も「ＶＡＬＥＮＴＩＮＯ（ヴァレンティノ）」と呼ばれて、紳士服、婦人服等について、同人のデザインに係る商品に付される商標ないしは同人の略称として、取引者、需要者の間に広く認識されていたものということができる。そして、該「ＶＡＬＥＮＴＩＮＯ（ヴァレンティノ）」の著名性は、現在も継続していると認められるものである。
（２）出所の混同について
　本件商標は、前記のとおり、「ＶＡＬＥＮＴＩＮＯＰＩＡ」と「バレンティノピア」の文字を上下二段に書して成るものであるところ、その上段の欧文字部分が１２文字、下段の片仮名文字部分が８文字から成り、また、これらから生ずる「バレンティノピア」の称呼も７音で構成され、その外観、称呼とも、全体が一体不可分のものということはできない。さらに、本件商標は、全体として特定の熟語や氏名を表すものとして一般の取引者、需要者によく知られているというような事情も認められない。
　そして、前記（１）のとおり、本件商標の登録出願時には、既に、ＶＡＬＥＮＴＩＮＯ標章が「ＶＡＬＥＮＴＩＮＯ（ヴァレンティノ）」の商標と、また、ヴァレンティノ　ガラヴァーニ（Ｖａｌｅｎｔｉｎｏ　Ｇａｒａｖａｎｉ）が「ＶＡＬＥＮＴＩＮＯ（ヴァレンティノ）」とも呼ばれて、紳士服、婦人服等について、同人のデザインに係る商品に付される商標ないしは同人の略称として著名であったこと及びＶＡＬＥＮＴＩＮＯ標章が付される商品「紳士服、婦人服」等と本件商標の指定商品は、共にファッション関連の商品であって、同一又は高い関連性がある商品といい得るものであること等を併せ考慮すれば、本件商標をその指定商品に使用するときは、これに接する取引者・需要者は、その構成中前半の「ＶＡＬＥＮＴＩＮＯ」「バレンティノ」の文字のみを捉え、著名なＶＡＬＥＮＴＩＮＯ標章を連想、想起し、それがヴァレンティノ　ガラヴァーニ又は同人と何らかの関係がある者の業務に係るものであるかのように、その商品の出所について混同を生ずるおそれがあったものと判断するのが相当である。
　また、この混同を生ずるおそれは、本件商標の登録出願時から現在においても継続しているものと認められる。
　なお、被請求人は、乙第２号証ないし同第１９号証（商標公報）を提出しているが、仮に、その中に他の公告例等との関係において矛盾するもの等が存在するとしても、具体的事案の判断においては、過去の公告例等の一部の判断に拘束されることなく検討されるべきものである。
　したがって、本件商標は、商標法第４条第１項第１５号に違反して登録されたものであるから、同法第４６条第１項の規定により、その登録を無効とすべきものである。
　よって、結論のとおり審決する。